(57)【特許請求の範囲】
【請求項１】
方形状の瓦本体の頭部を平面視して三角形状に切り落として傾斜状の頭部を形成し、この傾斜状の頭部に設けられた垂れ部の一方の垂れ部片が、同垂れ部の他方の垂れ部片に潜込む構成であって、当該垂れ部の一方・他方の垂れ部片の肉厚を、同垂れ部の他の垂れ部片の肉厚より薄くし、前記の一方・他方の垂れ部片の肉厚を他の垂れ部片の肉厚より曲面状に薄くする構成としたことを特徴とする軒瓦。
【請求項２】
方形状の瓦本体の頭部を平面視して三角形状に切り落として傾斜状の頭部を形成し、この傾斜状の頭部に設けられた垂れ部の一方の垂れ部片が、同垂れ部の他方の垂れ部片に潜込む構成であって、当該垂れ部の一方・他方の垂れ部片の肉厚を、同垂れ部の他の垂れ部片の肉厚より薄くし、前記の一方・他方の垂れ部片の肉厚を他の垂れ部片の肉厚より傾斜状に薄くする構成としたことを特徴とする軒瓦。
【請求項３】
上記の他の垂れ部片が垂れ部のほぼ中央である請求項１又は請求項２に記載の軒瓦。
【発明の詳細な説明】
【０００１】
【発明の属する技術分野】
本発明は、軒先における一文字瓦を簡易かつ的確に葺設できる軒瓦に関する。
【０００２】
【従来の技術】
従来、軒瓦に関する考案、発明としては次のような先行技術文献がある。（１）実公平２−８９８２号の軒瓦であり、その要旨は、軒先の頭部をきき幅方向において傾斜状にすること、及びその傾斜の角度を垂れ部の厚さより若干大きくして内外方に偏倚させてなる構成である。この構成により、隣接する軒瓦をきき幅方向にスライド可能とする。（２）特開平８−５３９０６号の軒瓦及びその瓦葺き方法であり、その要旨は、瓦本体の頭部をきき幅方向において傾斜状にすること、この瓦本体のきき幅方向両端側（棧部及び差込み部及び垂れ部）に第１の係合部と第２の係合部を設け、この第１の係合部と第２の係合部の摺動面を利用して隣接する軒瓦をきき幅方向にスライド可能とする。（３）特開平８−１００４８９号の一文字軒瓦等の瓦であり、頭部の垂れにテーパー端面を有する切欠き垂れ及び段付き垂れを形成し、この切欠き垂れ及び段付き垂れのテーパー端面を対峙する構成とするとともに、前記段付き垂れと切欠き垂れの摺動方法を利用して隣接する軒瓦をきき幅方向にスライド可能とする。
【０００３】
【発明が解決しようとする課題】
前記（１）、（２）の考案、発明は、傾斜状の頭部と、この頭部より垂下した垂れ部と、で構成することにより、当該軒瓦をきき幅方向でスライド可能とする。この構成により、建屋の軒先方向の寸法と葺設される軒瓦寸法との寸法調整（以下、寸法調整とする。）、又は建屋の流れ方向の寸法調整等を図る。この考案、発明は寸法調整にとどまっている。従って、垂れ部への粘土のスムーズな移動、及び垂れ部の美しさ・所定の形状を確保するには十分でない、また前記のスムーズな移動等を確保するための金型構造に工夫を要すること、又は熟練を要すること、等の課題がある。また前記（３）の発明は、垂れ部の前面に設けた切欠部間に生成される擬似模様を利用して、隣接する隅棟瓦の寸法調整を図る。この発明もやはり寸法調整にとどまっている。従って、前記と同様な課題がある。尚、この（３）の発明は、構造が複雑となる問題がある。
【０００４】
【課題を解決するための手段】
本発明は、垂れ部から傾斜状の頭部まで含めたエリアーで、粘土のスムーズかつ的確な移動を図ること、又は少なくとも一方の寸法調整が可能であること、軒瓦の軽量化を図ること、等を目的とする。また本発明は、前記粘土の移動をより容易とすること、又は製瓦の容易化を図ること、等を目的とする。
【０００５】
請求項１の発明は、方形状の瓦本体の頭部を平面視して三角形状に切り落として傾斜状の頭部を形成し、この傾斜状の頭部に設けられた垂れ部の一方の垂れ部片が、同垂れ部の他方の垂れ部片に潜込む構成であって、当該垂れ部の一方・他方の垂れ部片の肉厚を、同垂れ部の他の垂れ部片の肉厚より薄くし、前記の一方・他方の垂れ部片の肉厚を他の垂れ部片の肉厚より曲面状に薄くする構成としたことを特徴とする軒瓦である。
【０００６】
本発明は、垂れ部から傾斜状の頭部まで含めたエリアーで、粘土のスムーズかつ的確な移動を図ること、又は少なくとも一方の寸法調整が可能であること、軒瓦の軽量化を図ること、等を目的とする。また本発明は、前記粘土の移動をより容易とすること、又は製瓦の容易化を図ること、等を目的とする。
【０００７】
請求項２の発明は、方形状の瓦本体の頭部を平面視して三角形状に切り落として傾斜状の頭部を形成し、この傾斜状の頭部に設けられた垂れ部の一方の垂れ部片が、同垂れ部の他方の垂れ部片に潜込む構成であって、当該垂れ部の一方・他方の垂れ部片の肉厚を、同垂れ部の他の垂れ部片の肉厚より薄くし、前記の一方・他方の垂れ部片の肉厚を他の垂れ部片の肉厚より傾斜状に薄くする構成としたことを特徴とする軒瓦である。
【０００８】
【０００９】
本発明は、前記粘土の移動をより容易とすること、又は一層の軽量化を図ること、等を目的とする。
【００１０】
請求項３の発明は、他の垂れ部片が垂れ部のほぼ中央である構成の軒瓦である。
【００１１】
【発明の実施の形態】
本発明は、傾斜状の頭部が傾斜していることから、一方の軒瓦（イ）の垂れ部の一方の垂れ部片（例えば、重ね部片）に、他方の軒瓦（ロ）の垂れ部の他方の垂れ部片（例えば、覆い部片）が、重畳するように葺設（積層）されるとともに、軒瓦（イ）の瓦本体の一方（差込み部）の表面に、軒瓦（ロ）の瓦本体の他方（棧部）の裏面が重ね葺き（積層）される。また他方の軒瓦（イ）の垂れ部の他方の垂れ部片（例えば、覆い部片）に、一方の軒瓦（ハ）の垂れ部の一方の垂れ部片（例えば、重ね部片）が、潜り込むように葺設（積層）されるとともに、軒瓦（イ）の瓦本体の他方（棧部）の裏面に、軒瓦（ハ）の瓦本体の一方（差込み部）の表面が潜り込むように葺設（積層）される。前記の如く、一方の垂れ部片と他方の垂れ部片はそれぞれ薄肉に構成されているので、違和感なく積層され、軒瓦（イ）〜軒瓦（ハ）の寸法調整が図れる。
【００１２】
尚、一方・他方の垂れ部片は、それぞれ薄肉に構成されていることから、軒先素地を形成する際、垂れ部の一方・他方の垂れ部片の隅部及び／又は下端（主として、下端）まで、粘土の移動がスムーズで、かつ垂れ部の垂れ長さにも十分対応でき過不足なく供給される特徴がある。また一方・他方の垂れ部片を薄肉とすることにより軒瓦の軽量化に役立ち、葺設時の建物基材への負担軽減及び耐震効果、運搬の容易化、等に役立つ有益性を備える。
【００１３】
【実施例】
以下、本発明の一実施例を図面を基に説明する。
【００１４】
１は方形状の瓦本体１００（想像線で示す。）の頭部１００ａ（想像線で示す。）を平面視して三角形状１００ｂ（想像線で示す。）に切り落として形成される傾斜状の頭部１ａを有する軒瓦の瓦本体で、この瓦本体１は棧部１ｂ（他方）と、差込み部１ｃ（一方）、及び尻部１ｄを備えている。また傾斜状の頭部１ａには垂れ部２が垂下される。また垂れ部２の一方の垂れ部片２１と他方の垂れ部片２２は薄肉になっている。即ち、瓦本体１（軒瓦）のきき幅方向Ａの両端を構成する一方の垂れ部片２１と他方の垂れ部片２２は薄肉に構成されている。その一例を説明すると、一方・他方の垂れ部片２１、２２は、図５〜図１１に拡大して示す如く、そのほぼ中心をなす他の垂れ部片２３又は後述する内端等（本発明では、他の垂れ部片とする。）より薄肉形状とし、望ましくは他の垂れ部片２３より一方・他方の垂れ部片２１、２２に向って曲面状又は傾斜状にテーパー形状の薄肉とする。図中２’は垂れ部２の表面（外側）、２”は垂れ部２の裏面（内側）をそれぞれ示す。
【００１５】
この垂れ部２の形状の好ましい一例を説明すると、図５〜図７は一方・他方の垂れ部片２１、２２が曲面状をなす構成、図８〜図１０は一方・他方の垂れ部片２１、２２が傾斜状をなす構成を示す。図５は垂れ部２の中心にある他の垂れ部片２３より一方・他方の垂れ部片２１、２２の自由端２１ｂ、２２ｂに向って順次曲面状に薄肉とする構成である。図６は一方・他方の垂れ部片２１、２２の内側を内端２１ａ、２２ａとし、また一方・他方の垂れ部片２１、２２の外側を自由端２１ｂ、２２ｂとし、この内端２１ａ、２２ａから自由端２１ｂ、２２ｂに向かって曲面状に薄肉とする構成である。図７は図６の構成とほぼ同様であり、内端２１ａ、２２ａより自由端２１ｂ、２２ｂに向って曲面状に薄肉となっている。しかし、この例では、自由端２１ｂ、２２ｂが極度に薄くなっている。図８は垂れ部２の中心にある他の垂れ部片２３より一方・他方の垂れ部片２１、２２の自由端２１ｂ、２２ｂに向って順次傾斜状に薄肉とする構成である。図９は一方・他方の垂れ部片２１、２２の内側を内端２１ａ、２２ａとし、また一方・他方の垂れ部片２１、２２の外側を自由端２１ｂ、２２ｂとし、この内端２１ａ、２２ａから自由端２１ｂ、２２ｂに向かって傾斜状に薄肉とする構成である。図１０は図９Ｒ＞９の構成とほぼ同様であり、内端２１ａ、２２ａより自由端２１ｂ、２２ｂに向って傾斜状に薄肉となっている。しかし、この例では、自由端２１ｂ、２２ｂが極度に薄くなっている。尚、図１１は別の一例を示しており、一方・他方の垂れ部片２１、２２に凹凸２１’、２２’を形成する。この凹凸２１’、２２’に隙間Ｓを設ける構成も可能である。また本発明は、軒瓦であれば、他の形状、機能の軒瓦（図示せず）にも採用できる。以上の同じテーパー形状の薄肉、又は組合せテーパー形状の薄肉等を利用し、粘土の移動をスムーズとして、製瓦の容易化又は軒瓦の品質向上、歩留向上に役立つと考えられる。また薄肉構造は、軒瓦の軽量化、材料の節約化等に役立つ特徴がある。
【００１６】
尚、垂れ部２の他の形状を説明する。即ち、図２に示す如く、垂れ部２の上面２ａと下面２ｂの肉厚を厚薄とし、上面２ａから下面２ｂに向ってテーパー形状とする。この上面２ａから下面２ｂに向ってのテーパー形状の組合せ等の利用及び特徴は各例に採用できる。
【００１７】
【発明の効果】
本発明は、瓦本体の傾斜状の頭部に垂れ部を設け、この垂れ部の一方・他方の垂れ部片の肉厚を他の垂れ部片の肉厚より薄くする構成である。また、垂れ部の一方・他方の垂れ部片の肉厚を他の垂れ部片の肉厚より曲面状に薄くする構成である。従って、垂れ部から傾斜状の頭部まで含めたエリアーで粘土のスムーズかつ的確な移動が図れること、又は寸法調整が可能であること、軒瓦の軽量化が図れること、等の特徴があり、粘土の移動がより容易でかつ品質の優れた軒瓦が製造できる特徴がある。
【００１８】
本発明は、瓦本体の傾斜状の頭部に垂れ部を設け、この垂れ部の一方・他方の垂れ部片の肉厚を他の垂れ部片の肉厚より薄くする構成である。また、垂れ部の一方・他方の垂れ部片の肉厚を他の垂れ部片の肉厚より傾斜状に薄くする構成である。従って、垂れ部から傾斜状の頭部まで含めたエリアーで粘土のスムーズかつ的確な移動が図れること、又は寸法調整が可能であること、軒瓦の軽量化が図れること、等の特徴があり、粘土の移動がより容易でかつ品質の優れた軒瓦が製造できる特徴がある。
【００１９】
また本発明は、垂れ部のほぼ中央から一方・他方の垂れ部片に向って肉厚を薄くする構成である。従って、軒瓦の軽量化に役立つ特徴がある。
【図面の簡単な説明】
【図１】  本発明の軒瓦の表面斜視図である。
【図２】  本発明の軒瓦の裏面斜視図である。
【図３】  本発明の軒瓦の葺き上げ状態を示す縮尺平面図である。
【図４】  本発明の軒瓦の葺き上げ状態を示す縮尺正面図である。
【図５】  垂れ部の一方・他方の垂れ部片の肉厚を曲面状に薄くした状態の一例を示す拡大俯瞰図である。
【図６】  垂れ部の一方・他方の垂れ部片の肉厚を曲面状に薄くした状態の他の一例を示す拡大俯瞰図である。
【図７】  垂れ部の一方・他方の垂れ部片の肉厚を曲面状に薄くした状態のさらに他の一例を示す拡大俯瞰図である。
【図８】  垂れ部の一方・他方の垂れ部片の肉厚を傾斜状に薄くした状態の一例を示す拡大俯瞰図である。
【図９】  垂れ部の一方・他方の垂れ部片の肉厚を傾斜状に薄くした状態の他の一例を示す拡大俯瞰図である。
【図１０】  垂れ部の一方・他方の垂れ部片の肉厚を傾斜状に薄くした状態のさらに他の一例を示す拡大俯瞰図である。
【図１１】  垂れ部の一方・他方の垂れ部片の他の一例を示す拡大俯瞰図である。
【符号の説明】
１              瓦本体
１ａ            傾斜状の頭部
１ｂ            棧部
１ｃ            差込み部
１ｄ            尻部
２              垂れ部
２ａ            上面
２ｂ            下面
２’            表面
２”            裏面
２１            一方の垂れ部片
２１ａ          内端
２１ｂ          自由端
２１’          凹
２２            他方の垂れ部片
２２ａ          内端
２２ｂ          自由端
２２’          凸
２３            他の垂れ部片
１００          方形状の瓦本体
１００ａ        頭部
１００ｂ        三角形状
Ａ              きき幅方向
Ｓ              隙間
【図１】
0003758060.tif 000002
【図２】
0003758060.tif 000003
【図３】
0003758060.tif 000004
【図４】
0003758060.tif 000005
【図５】
0003758060.tif 000006
【図６】
0003758060.tif 000007
【図７】
0003758060.tif 000008
【図８】
0003758060.tif 000009
【図９】
0003758060.tif 000010
【図１０】
0003758060.tif 000011
【図１１】
0003758060.tif 000012